【手続補正書】
【提出日】平成30年1月29日(2018.1.29)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第２の局から第２のワイヤレスメッセージを受信することと少なくとも部分的に同時に、第１の局から第１のワイヤレスメッセージを受信することと、
前記第１のワイヤレスメッセージおよび前記第２のワイヤレスメッセージと少なくとも部分的に同時に、第３の局から第３のワイヤレスメッセージを受信することと、
前記第３の局から第４のワイヤレスメッセージを受信することと、前記第４のワイヤレスメッセージは、前記第３の局についての確認応答ポリシーを示す、
前記第１のワイヤレスメッセージを受信したことに応答して、第１の確認応答メッセージを生成することと、
前記第２のワイヤレスメッセージを受信したことに応答して、第２の確認応答メッセージを生成することと、
前記第２の局へ前記第２の確認応答メッセージを送信することと少なくとも部分的に同時に、前記第１の局に前記第１の確認応答メッセージを送信することと、
前記第４のワイヤレスメッセージを受信した後で、前記第３の局から第５のワイヤレスメッセージを受信することと、前記第５のワイヤレスメッセージは、前記第３の局に対するブロック確認応答を要求する、
前記第５のワイヤレスメッセージを受信することに応答して、第３の確認応答メッセージを生成することと、
クリアツートランスミットメッセージを生成することと、前記クリアツートランスミットメッセージは、前記第３の確認応答が送信される時間と、第４の確認応答が第４の局に送信される第２の異なる時間とを示し、
前記クリアツートランスミットメッセージを前記第３の局および前記第４の局に送信することと、
前記第３の確認応答メッセージを前記第３の局に送信することと、
を備える方法。
【請求項２】
前記第１の確認応答メッセージはブロック確認応答として生成され、前記第２の確認応答メッセージは単一フレームの確認応答として生成される、請求項１に記載の方法。
【請求項３】
前記第１の確認応答メッセージはブロック確認応答として生成され、前記第２の確認応答メッセージはブロック確認応答として生成される、請求項１に記載の方法。
【請求項４】
前記第１の局から第６のワイヤレスメッセージを受信することと、前記第６のワイヤレスメッセージは前記第１の局についての確認応答ポリシーを示し、
前記第１の局についての前記確認応答ポリシーに基づいて、前記第１の確認応答メッセージを送信することと、
をさらに備える、請求項１に記載の方法。
【請求項５】
前記第６のワイヤレスメッセージに基づいて、前記第１の局が即刻のブロック確認応答を要求していると決定することと、
前記決定に基づいて前記第１の確認応答メッセージを送信することと、
をさらに備える、請求項４に記載の方法。
【請求項６】
前記第３の局からの前記第５のワイヤレスメッセージは、前記第３の局が遅れたブロック確認応答を要求していることを示し、
前記第３の確認応答メッセージは、前記第５のワイヤレスメッセージに基づいて、前記第１および第２のワイヤレスメッセージの前記送信の完了の後、前記第３の局に送信される、
請求項１に記載の方法。
【請求項７】
第１の空間ストリームで前記第１のワイヤレスメッセージを受信することと、
第２の空間ストリームで前記第２のワイヤレスメッセージを受信することと、
前記第１の空間ストリームに基づいて第３の空間ストリームを決定することと、
前記第２の空間ストリームに基づいて第４の空間ストリームを決定することと、
をさらに備え、
前記第１の確認応答メッセージは前記第３の空間ストリームで送信され、
前記第２の確認応答メッセージは前記第４の空間ストリームで送信される、
請求項１に記載の方法。
【請求項８】
前記第１のワイヤレスメッセージは第１の周波数で受信され、
前記第２のワイヤレスメッセージは第２の周波数で受信され、
前記第１の周波数に基づいて第３の周波数を決定することと、
前記第２の周波数に基づいて第４の周波数を決定することと、
をさらに備え、
前記第１の確認応答メッセージは前記第３の周波数で送信され、
前記第２の確認応答メッセージは前記第４の周波数で送信される、
請求項１に記載の方法。
【請求項９】
ワイヤレス通信のための装置であって、
第２の局から第２のワイヤレスメッセージを受信することと少なくとも部分的に同時に、第１の局から第１のワイヤレスメッセージを受信するように構成される受信機と、前記受信機はさらに、前記第１のワイヤレスメッセージおよび前記第２のワイヤレスメッセージと少なくとも部分的に同時に、第３の局から第３のワイヤレスメッセージを受信するように構成され、前記受信機はさらに、前記第３の局から第４のワイヤレスメッセージを受信するように構成され、前記第４のワイヤレスメッセージは、前記第３の局についての確認応答ポリシーを示す、
前記第１のワイヤレスメッセージを受信したことに応答して、第１の確認応答メッセージを生成し、前記第２のワイヤレスメッセージを受信したことに応答して、第２の確認応答メッセージを生成するように構成されるハードウェアプロセッサと、
前記第２の局へ前記第２の確認応答メッセージを送信することと少なくとも部分的に同時に、前記第１の局に前記第１の確認応答メッセージを送信するように構成される送信機と、
を備え、
前記受信機はさらに、前記第４のワイヤレスメッセージを受信した後で、前記第３の局から第５のワイヤレスメッセージを受信するように構成され、前記第５のワイヤレスメッセージは、前記第３の局に対するブロック確認応答を要求し、前記プロセッサはさらに、前記第５のワイヤレスメッセージを受信することに応答して、第３の確認応答メッセージを生成するように構成され、
前記プロセッサはさらに、クリアツートランスミットメッセージを生成するように構成され、前記クリアツートランスミットメッセージは、前記第３の確認応答が送信される時間と、第４の確認応答が第４の局に送信される第２の異なる時間とを示し、
前記送信機はさらに、前記クリアツートランスミットメッセージを前記第３の局および前記第４の局に送信するように構成され、
前記送信機はさらに、前記第３の確認応答メッセージを前記第３の局に送信するように構成される、
装置。
【請求項１０】
前記プロセッサはさらに、ブロック確認応答として前記第１の確認応答メッセージを生成するように構成され、前記プロセッサはさらに、ブロック確認応答として前記第２の確認応答メッセージを生成するように構成される、請求項９に記載の装置。
【請求項１１】
前記プロセッサはさらに、ブロック確認応答として前記第１の確認応答メッセージを生成するように構成され、前記プロセッサはさらに、単一フレームの確認応答として前記第２の確認応答メッセージを生成するように構成される、請求項９に記載の装置。
【請求項１２】
前記受信機はさらに、前記第１の局から第６のワイヤレスメッセージを受信するように構成され、前記第６のワイヤレスメッセージは前記第１の局についての確認応答ポリシーを示し、前記送信機はさらに、前記第１の局についての前記確認応答ポリシーに基づいて、前記第１の確認応答メッセージを送信するように構成される、請求項９に記載の装置。
【請求項１３】
前記プロセッサはさらに、前記第６のワイヤレスメッセージに基づいて、前記第１の局が即刻のブロック確認応答を要求していると決定するように構成され、前記送信機はさらに、前記決定に基づいて前記第１の確認応答メッセージを送信するように構成される、請求項１２に記載の装置。
【請求項１４】
前記第３の局からの前記第５のワイヤレスメッセージは、前記第３の局が遅れたブロック確認応答を要求していることを示し、
前記送信機はさらに、前記第５のワイヤレスメッセージに基づいて、前記第１および第２のワイヤレスメッセージの前記送信の完了の後、前記第３の局に前記第３の確認応答メッセージを送信するように構成される、請求項９に記載の装置。
【請求項１５】
前記受信機はさらに、第１の空間ストリームで前記第１のワイヤレスメッセージを受信し、第２の空間ストリームで前記第２のワイヤレスメッセージを受信するように構成され、
前記プロセッサはさらに、前記第１の空間ストリームに基づいて第３の周波数を決定し、前記第２の空間ストリームに基づいて第４の周波数を決定するように構成され、
前記送信機はさらに、前記第３の空間ストリームで前記第１の確認応答メッセージを送信し、前記第４の空間ストリームで前記第２の確認応答メッセージを送信するように構成される、請求項９に記載の装置。
【請求項１６】
前記受信機はさらに、第１の周波数で前記第１のワイヤレスメッセージを受信し、第２の周波数で前記第２のワイヤレスメッセージを受信するように構成され、
前記プロセッサはさらに、前記第１の周波数に基づいて第３の周波数を決定し、前記第２の周波数に基づいて第４の周波数を決定するように構成され、
前記送信機はさらに、前記第３の周波数で前記第１の確認応答メッセージを送信し、前記第４の周波数で前記第２の確認応答メッセージを送信するように構成される、請求項９に記載の装置。
【請求項１７】
前記クリアツートランスミットメッセージは、前記第３の局が第６のワイヤレスメッセージを送信するための許可を有することを示す、請求項９に記載の装置。
【請求項１８】
ワイヤレス通信のための装置であって、
第２の局から第２のワイヤレスメッセージを受信することと少なくとも部分的に同時に、第１の局から第１のワイヤレスメッセージを受信するための手段と、前記受信するための手段はさらに、前記第１のワイヤレスメッセージおよび前記第２のワイヤレスメッセージと少なくとも部分的に同時に、第３の局から第３のワイヤレスメッセージを受信するように構成され、前記受信するための手段はさらに、前記第３の局から第４のワイヤレスメッセージを受信するように構成され、前記第４のワイヤレスメッセージは、前記第３の局についての確認応答ポリシーを示す、
前記第１のワイヤレスメッセージを受信したことに応答して、第１の確認応答メッセージを生成し、前記第２のワイヤレスメッセージを受信したことに応答して、第２の確認応答メッセージを生成するための手段と、
前記第２の局へ前記第２の確認応答メッセージを送信することと少なくとも部分的に同時に、前記第１の局に前記第１の確認応答メッセージを送信するための手段と、
を備え、
前記受信するための手段はさらに、前記第４のワイヤレスメッセージを受信した後で、前記第３の局から第５のワイヤレスメッセージを受信するように構成され、前記第５のワイヤレスメッセージは、前記第３の局に対するブロック確認応答を要求し、前記生成するための手段はさらに、前記第５のワイヤレスメッセージを受信することに応答して、第３の確認応答メッセージを生成するように構成され、
前記生成するための手段はさらに、クリアツートランスミットメッセージを生成するように構成され、前記クリアツートランスミットメッセージは、前記第３の確認応答が送信される時間と、第４の確認応答が第４の局に送信される第２の異なる時間とを示すように生成され、
前記送信するための手段はさらに、前記クリアツートランスミットメッセージを前記第３の局および前記第４の局に送信するように構成され、
前記送信するための手段はさらに、前記第３の確認応答メッセージを前記第３の局に送信するように構成される、
装置。
【請求項１９】
前記第１の確認応答メッセージはブロック確認応答として生成され、前記第２の確認応答メッセージは単一フレームの確認応答として生成される、請求項１８に記載の装置。
【請求項２０】
前記第１の確認応答メッセージはブロック確認応答として生成され、前記第２の確認応答メッセージはブロック確認応答として生成される、請求項１８に記載の装置。
【請求項２１】
前記受信するための手段はさらに、前記第１の局から第６のワイヤレスメッセージを受信するように構成され、前記第６のワイヤレスメッセージは前記第１の局についての確認応答ポリシーを示し、前記送信するための手段はさらに、前記第１の局についての前記確認応答ポリシーに基づいて、前記第１の確認応答メッセージを送信するように構成される、請求項１８に記載の装置。
【請求項２２】
前記生成するための手段はさらに、前記第６のワイヤレスメッセージに基づいて、前記第１の局が即刻のブロック確認応答を要求していると決定するように構成され、前記送信するための手段はさらに、前記決定に基づいて前記第１の確認応答メッセージを送信するように構成される、請求項２１に記載の装置。
【請求項２３】
前記第３の局からの前記第５のワイヤレスメッセージは、前記第３の局が遅れたブロック確認応答を要求していることを示し、
前記送信するための手段はさらに、前記第５のワイヤレスメッセージに基づいて、前記第１および第２のワイヤレスメッセージの前記送信の完了の後、前記第３の局に前記第３の確認応答メッセージを送信するように構成される、請求項１８に記載の装置。
【請求項２４】
前記受信するための手段はさらに、第１の空間ストリームで前記第１のワイヤレスメッセージを受信し、第２の空間ストリームで前記第２のワイヤレスメッセージを受信するように構成され、
前記生成するための手段はさらに、前記第１の空間ストリームに基づいて第３の空間ストリームを決定し、前記第２の空間ストリームに基づいて第４の空間ストリームを決定するように構成され、
前記送信するための手段はさらに、前記第３の空間ストリームで前記第１の確認応答メッセージを送信し、前記第４の空間ストリームで前記第２の確認応答メッセージを送信するように構成される、請求項１８に記載の装置。
【請求項２５】
前記受信するための手段はさらに、第１の周波数で前記第１のワイヤレスメッセージを受信し、第２の周波数で前記第２のワイヤレスメッセージを受信するように構成され、
前記生成するための手段はさらに、前記第１の周波数に基づいて第３の周波数を決定し、前記第２の周波数に基づいて第４の周波数を決定するように構成され、
前記送信するための手段はさらに、前記第３の周波数で前記第１の確認応答メッセージを送信し、前記第４の周波数で前記第２の確認応答メッセージを送信するように構成される、請求項１８に記載の装置。
【請求項２６】
前記クリアツートランスミットメッセージは、前記第３の局が第６のワイヤレスメッセージを送信するための許可を有することを示す、請求項１８に記載の装置。
【請求項２７】
コンピュータによって実行されると、前記コンピュータに、ワイヤレス通信の方法を実行させる命令を備える非一時的コンピュータ可読媒体であって、前記方法は、
第２の局から第２のワイヤレスメッセージを受信することと少なくとも部分的に同時に、第１の局から第１のワイヤレスメッセージを受信することと、
前記第１のワイヤレスメッセージおよび前記第２のワイヤレスメッセージと少なくとも部分的に同時に、第３の局から第３のワイヤレスメッセージを受信することと、
前記第３の局から第４のワイヤレスメッセージを受信することと、前記第４のワイヤレスメッセージは、前記第３の局についての確認応答ポリシーを示す、
前記第１のワイヤレスメッセージを受信したことに応答して、第１の確認応答メッセージを生成することと、
前記第２のワイヤレスメッセージを受信したことに応答して、第２の確認応答メッセージを生成することと、
前記第２の局へ前記第２の確認応答メッセージを送信することと少なくとも部分的に同時に、前記第１の局に前記第１の確認応答メッセージを送信することと、
前記第４のワイヤレスメッセージを受信した後で、前記第３の局から第５のワイヤレスメッセージを受信することと、前記第５のワイヤレスメッセージは、前記第３の局に対するブロック確認応答を要求する、
前記第５のワイヤレスメッセージを受信することに応答して、第３の確認応答メッセージを生成することと、
クリアツートランスミットメッセージを生成することと、前記クリアツートランスミットメッセージは、前記第３の確認応答が送信される時間と、第４の確認応答が第４の局に送信される第２の異なる時間とを示し、
前記クリアツートランスミットメッセージを前記第３の局および前記第４の局に送信することと、
前記第３の確認応答メッセージを前記第３の局に送信することと、
を備える非一時的コンピュータ可読媒体。
【請求項２８】
前記第１の確認応答メッセージはブロック確認応答として生成され、前記第２の確認応答メッセージは単一フレームの確認応答として生成される、請求項２７に記載の非一時的コンピュータ可読媒体。
【請求項２９】
前記第１の確認応答メッセージはブロック確認応答として生成され、前記第２の確認応答メッセージはブロック確認応答として生成される、請求項２７に記載の非一時的コンピュータ可読媒体。